(57)【特許請求の範囲】
【請求項１】
河川の底部に蓄積される細粒分を前記河川の底部より上流側に移送するための移送方法であって、
前記河川の上流にある第１領域と前記河川の下流にある第２領域とを接続する流水管を介して、前記第２領域の水を前記第１領域に圧送する第１工程と、
前記流水管を介して圧送する前記水を利用して、前記流水管の圧送流路上に設けられた絞り部において陰圧を発生させる第２工程と、
前記絞り部において発生させた前記陰圧を利用して、前記河川の底部と前記絞り部とを接続する輸送管を介して前記細粒分を吸引する第３工程と、
前記輸送管を介して吸引した前記細粒分を、前記流水管を介して圧送する前記水と共に前記河川の底部より上流側の前記第１領域に移送する第４工程と、を備える、移送方法。
【請求項２】
前記第３工程において吸引する前記細粒分の量を調整する第５工程を更に備える、請求項１に記載の移送方法。
【請求項３】
前記第５工程において吸引する前記細粒分の量を、前記陰圧の伝達経路上に設けられたバルブによって調整する、請求項２に記載の移送方法。
【請求項４】
前記第１工程において、前記第２領域の前記水をポンプによって前記第１領域に圧送する、請求項１〜３の何れか一項に記載の移送方法。
【請求項５】
前記細粒分は、前記河川の複数箇所における底部に蓄積され、
前記第３工程において、前記河川の前記複数箇所における底部と前記絞り部とを接続する前記輸送管を介して前記細粒分を吸引する、請求項１〜４の何れか一項に記載の移送方法。
【発明の詳細な説明】
【技術分野】
【０００１】
本発明は、移送方法に関し、特に河川の底部に蓄積される細粒分を河川の上流側に移送する移送方法に関する。
【背景技術】
【０００２】
従来、特許文献１に記載された屋上緑化用人工地盤が知られている。特許文献１に記載された屋上緑化用人工地盤は、川部を構成する水路と、水路の下流部に設けられた池部と、池部の水を川部の上流側の端部へ送るポンプ及び配管と、を備える。配管は、一端部がポンプを介して池部に接続され、また他端部が川部の上流側の端部に接続されている。この屋上緑化用人工地盤では、ポンプを運転することにより、水路に水が循環される。
【先行技術文献】
【特許文献】
【０００３】
【特許文献１】特開２００８−６１５５３号公報
【発明の概要】
【発明が解決しようとする課題】
【０００４】
一般的に、河川では、水流による浸食等で上流側から下流側に細粒分が流される。この細粒分は、河川の底部（底質環境）において蓄積される。この底質環境には、例えばカワニナ等の生物が生息することがある。河川において、生物の生息環境を維持して生物多様性の維持を図るためには、河川の上流側から細粒分が流されるのに伴って下流側の底質環境の細粒分を河川の上流側へ移送して、細粒分の固定化を抑制することが考えられる。しかしながら、上述した従来技術のように河川の下流側の水をポンプで直接吸い込むと、ポンプ内部を通過する際に細粒分が破砕及び撹拌されてしまい、細粒分に含まれる生物を損傷させるおそれがある。また、細粒分を人力で河川の上流側へ移送するには、水を含む細粒分の重量が大きいことから、大きな労力を要してしまう。
【０００５】
本発明は、細粒分が含み得る生物を損傷させる可能性を低減しつつ、河川の上流側に細粒分を容易に移送することを目的とする。
【課題を解決するための手段】
【０００６】
上記課題を解決するため、本発明者らは鋭意検討を重ねた結果、圧送流路上に設けられた絞り部において陰圧を発生させ、この陰圧を利用して細粒分を吸引し、吸引した細粒分を圧送する水と共に河川の上流側に移送すると、細粒分が含み得る生物を損傷させる可能性を低減できるという知見を得た。そこで、本発明者らは、このように細粒分を吸引する手法を用いて河川の上流側へ細粒分を移送できることを見出し、本発明を完成するに至った。
【０００７】
本発明に係る移送方法は、河川の底部に蓄積される細粒分を河川の上流側に移送するための移送方法であって、河川の上流側と河川の下流側とを接続する流水管を介して、河川の下流側の水を河川の上流側に圧送する第１工程と、流水管を介して圧送する水を利用して、流水管の圧送流路上に設けられた絞り部において陰圧を発生させる第２工程と、絞り部において発生させた陰圧を利用して、河川の底部と絞り部とを接続する輸送管を介して細粒分を吸引する第３工程と、輸送管を介して吸引した細粒分を、流水管を介して圧送する水と共に河川の上流側に移送する第４工程と、を備える。
【０００８】
この移送方法では、河川の下流側の水を河川の上流側に流水管を介して圧送する。流水管を介して圧送する水を利用して、流水管の圧送流路上に設けられた絞り部において陰圧を発生させる。絞り部において発生させた陰圧を利用して、河川の底部と絞り部とを接続する輸送管を介して細粒分を吸引する。輸送管を介して吸引した細粒分を、流水管を介して圧送する水と共に河川の上流側に移送する。このように、圧送流路上に設けられた絞り部において陰圧を発生させ、この陰圧を利用して細粒分を吸引し、圧送する水と共に河川の上流側に吸引した細粒分を移送するため、細粒分が含み得る生物を損傷させる可能性を低減しつつ、河川の上流側に細粒分を容易に移送することが可能となる。
【０００９】
この移送方法では、第３工程において吸引する細粒分の量を調整する第５工程を更に備えてもよい。この場合、吸引する細粒分の量を調整することで、河川の上流側へ移送する細粒分の量を河川の底部に蓄積される細粒分の量に応じて変更することができる。
【００１０】
この移送方法では、第５工程において吸引する細粒分の量を、陰圧の伝達経路上に設けられたバルブによって調整してもよい。この場合、陰圧の伝達経路上に設けられたバルブを用いることで、吸引する細粒分の量を直接的かつ容易に調整することができる。
【００１１】
この移送方法では、第１工程において、河川の下流側の水をポンプによって河川の上流側に圧送してもよい。この場合、ポンプを用いることで、河川の下流側の水を河川の上流側に好適に圧送することができる。
【００１２】
この移送方法では、細粒分は、河川の複数箇所における底部に蓄積され、第３工程において、河川の複数箇所における底部と絞り部とを接続する輸送管を介して細粒分を吸引してもよい。この場合、河川の複数箇所における底部のそれぞれにおいて細粒分を吸引することで、河川における複数の箇所に蓄積された細粒分を河川の上流側に容易に移送することが可能となる。
【発明の効果】
【００１３】
本発明によれば、細粒分が含み得る生物を損傷させる可能性を低減しつつ、河川の上流側に細粒分を容易に移送することが可能となる。
【図面の簡単な説明】
【００１４】
【図１】移送方法を適用する河川を示す概略斜視図である。
【図２】図１の河川の配管構成を示す概略断面図である。
【図３】（ａ）は、沈砂部を示す断面図である。（ｂ）は、沈砂部を示す他の断面図である。（ｃ）は、沈砂部を示す他の断面図である。
【図４】（ａ）は、絞り部を示す断面図である。（ｂ）は、絞り部を示す他の断面図である。
【図５】移送方法を適用する他の河川を示す概略斜視図である。
【図６】（ａ）は、図５の河川の配管構成を示す概略断面図である。（ｂ）は、図５の河川の他の配管構成を示す概略断面図である。
【図７】移送方法を適用する他の河川を示す概略断面図である。
【発明を実施するための形態】
【００１５】
以下、本発明の好適な実施形態について、図面を参照しつつ詳細に説明する。なお、以下の説明において、同一又は相当要素には同一符号を付し、重複する説明を省略する。
【００１６】
図１に示されるように、河川１は、例えば人工的に小河川（せせらぎ）を模擬して形成された小川型ビオトープである。河川１は、小川型ビオトープに限定されず、比較的大型の河川型ビオトープであってもよいし、自然に形成される河川であってもよい。また、河川１は、屋外に形成されてもよいし、屋内に形成されてもよい。
【００１７】
河川１は、主流路２と、副流路３とを備えている。以下の説明においては、副流路３における上流側は、主流路２の下流側に対応し、副流路３における下流側は、主流路２の上流側に対応する。単に「上流」又は「下流」というときは、主流路２における上流（河川１の上流）又は主流路２における下流（河川１の下流）を意味するものとする。
【００１８】
河川１では、上流側から下流側へ水が流されることで、河川１の水流とされる。河川１では、水は、下流側まで流された後、副流路３を通して上流側へ戻されて、河川１内を循環する。
【００１９】
河川１では、例えば土砂や石等を用いて主流路２が形成されている。主流路２は、上流側から下流側に向かって下り勾配の水路とされている。そのため、河川１では、その水流によって主流路２の表面が浸食される箇所が存在し、浸食により生じた礫分及び細粒分が下流側へ流される。礫分とは、例えば２ｍｍ以上の粒径を有する土粒子である。細粒分とは、例えば２ｍｍ未満の粒径を有する土粒子である。細粒分としては、例えば、粗砂、細砂、シルト及び粘土が含まれる。河川１では、一般的に、細粒分のほうが礫分よりも下流側まで流される。河川１では、細粒分は、例えば水深が深くなる場所等、水の流速が低下すると沈降し易く、河川の底部（底質環境）に蓄積され易い。底質環境とは、細粒分が蓄積されることで河川の底部に形成される生物の生育環境である。ここでの底質環境は、例えば設計上、約２０ｃｍの厚みに形成される。
【００２０】
図１及び図２に示されるように、主流路２は、上流側から順に、吐出口１０と、池部１１と、水路１２と、池部１３と、水路１４と、池部１５と、を有している。まず、主流路２の構成について説明する。
【００２１】
池部１１は、河川１の最上流部に設けられた貯水部である。池部１１には、例えば吐出口１０が設けられており、吐出口１０から水が供給される。池部１１には、吐出口１０から供給される水とは別に、外部から水が供給されてもよい。池部１１には、下流側に水路１２が接続されている。池部１１では、供給された水が貯留されると共に、水路１２に水が流出する。
【００２２】
水路１２は、池部１１と池部１３とを接続する。水路１２では、水の流れ方向に交差する方向（以下、単に川幅方向という）の両岸間の幅（以下、単に川幅という）が、池部１１及び池部１３の川幅よりも小さい。よって、水路１２では、池部１１及び池部１３における水の流速よりも速い流速で水が流れる。
【００２３】
池部１３は、河川１の途中に設けられた貯水部である。池部１３は、川幅が水路１２での川幅よりも広くなるように形成されている。また、池部１３は、水路１２よりも深い水深を有している。よって、池部１３では、水流の流速が水路１２での流速よりも低下し、上流側から流された細粒分Ｆ１が池部１３の底部に沈降し易い。従って、池部１３は、河川の底部（底質環境）において細粒分Ｆ１が蓄積される部分（以下、沈砂部Ｓ１と称する）を構成する。沈砂部Ｓ１は、この例に限定されず、細粒分Ｆ１が蓄積される部分であればよい。例えば、幅及び水深以外を変化させて水流の流速を低下させるように形成してもよいし、物理的に細粒分Ｆ１を捕捉するように石等と配置して細粒分Ｆ１を蓄積させてもよい。また、ここでの池部１３は、河川１の上流側に細粒分Ｆ１を再供給するために意図的に形成した沈砂部Ｓ１である。沈砂部Ｓ１は、意図的に形成したものに限定されず、河川１が自然に形成される河川である場合には、例えば水流によって自然に形成された淵部を沈砂部Ｓ１として利用することができる。
【００２４】
池部１３では、水路１２から流入した水が貯留されると共に、水路１４に水が流出する。水路１４は、池部１３と池部１５とを接続する。水路１４の川幅は、池部１３の川幅よりも小さい。よって、水路１４では、池部１３における水の流速よりも速い流速で水が流れる。
【００２５】
池部１５は、河川１の最下流部に設けられた貯水部である。池部１５は、例えばその底部に導入管２０ａが設けられている。池部１５では、水路１４から流入した水が貯留されると共に、貯留された水が導入管２０ａを介して副流路３に導入される。
【００２６】
続いて、副流路３の構成について説明する。副流路３は、流水部（流水管）２０と、圧送ポンプ２１と、絞り部２２と、輸送管２３と、を備える。副流路３の各構成は、例えば地面Ｇに載置された後に外構緑化の際の土Ｍによって覆土されて這い回されている（図３（ａ）参照）。副流路３の這い回しは、これに限定されず、種々の態様を採用することができ、例えば後述するように地面Ｇの下方に埋設されてもよい。
【００２７】
流水部２０は、河川１の上流側と河川１の下流側とを接続する流水管である。流水部２０は、副流路３の上流側から導入管２０ａと、流水管２０ｂと、流水管２０ｃと、を有する。流水部２０としては、例えば塩化ビニル樹脂製のパイプを用いることができる。流水部２０の直径は、圧送ポンプ２１の出力に応じて設定することができ、例えば２５ｍｍ〜１５０ｍｍとすることができる。ここでは、流水部２０の直径は、約７５ｍｍとされている。導入管２０ａは、主流路２から副流路３への水の導入部である。導入管２０ａは、主流路２の池部１５と、副流路３の圧送ポンプ２１とを接続する。
【００２８】
圧送ポンプ２１は、流水部２０の流路上に設けられている。ここでは、圧送ポンプ２１は、導入管２０ａと流水管２０ｂとを接続するように設けられたポンプである。圧送ポンプ２１は、導入管２０ａを介して導入された水を流水管２０ｂ及び流水管２０ｃに圧送する。すなわち、流水管２０ｂ及び流水管２０ｃは、圧送ポンプ２１によって圧送された水が流通する流路（圧送流路）である。圧送ポンプ２１は、上流側と下流側とを接続する流水部２０を介して、下流側の水を上流側に圧送する。圧送ポンプ２１は、種々のポンプを採用することができ、例えば電動動力式の羽根車を有する軸流ポンプが用いられる。圧送ポンプ２１の出力は、河川１の規模、及び河川１における水の循環量等に応じて設定することができ、例えば毎分１５Ｌ〜毎分２８０Ｌとすることができる。ここでは、圧送ポンプ２１の出力は、毎分９０Ｌの吐出量の出力とされている。
【００２９】
流水管２０ｂは、副流路３における圧送ポンプ２１の下流側に接続された水の流路である。流水管２０ｃは、副流路３における流水管２０ｂの下流側に配置された水の流路である。流水管２０ｃでは、副流路３における下流側に吐出口１０が形成され、池部１１に接続されている。流水管２０ｂ及び流水管２０ｃは、圧送ポンプ２１から圧送された水を流通させる。よって、圧送された水は、池部１１まで移送される。
【００３０】
絞り部２２は、流水部２０における圧送ポンプ２１よりも下流側（流水部２０の圧送流路上）に設けられた絞りである。ここでは、絞り部２２は、流水管２０ｂと流水管２０ｃとの間に設けられている。絞り部２２は、アスピレータの原理を利用して構成された絞りである。絞り部２２は、流水管２０ｂ及び流水管２０ｃの流路断面積よりも水の流路断面積が小さくなるように形成されている。ただし、絞り部２２の流路断面積には、輸送管２３の流路は含まない。
【００３１】
具体的には、絞り部２２は、図４（ａ）に示されるように、流路が全体的に絞られる形状であってもよい。図４（ａ）の例では、絞り部２２は隆起部２２ｘを有している。隆起部２２ｘは、絞り部２２の内周の周方向の全周にわたって形成された凸部である。よって、隆起部２２ｘは、流水管２０ｂ及び流水管２０ｃの流路断面積よりも絞り部２２の流路断面積を小さくする。この絞り部２２では、例えば領域Ｌｘにおいて水の流速が増加すると共に水の圧力が低下する。
【００３２】
また、絞り部２２は、図４（ｂ）に示されるように、流路が部分的に絞られる形状であってもよい。図４（ｂ）の例では、絞り部２２は、凸部２２ｙを有している。凸部２２ｙは、絞り部２２の内周の周方向における一部（ここでは絞り部２２の底部）が突出するように形成された凸部である。よって、凸部２２ｙは、流水管２０ｂ及び流水管２０ｃの流路断面積よりも絞り部２２の流路断面積を小さくする。この絞り部２２では、例えば領域Ｌｙにおいて水の流速が増加すると共に水の圧力が低下する。なお、絞り部２２としては、図４（ａ）及び図４（ｂ）の例に代えて、水流式のアスピレータ部材を適用することもできる。
【００３３】
絞り部２２では、流路が絞られた箇所において水の流速が増加すると共に水の圧力が低下する。すなわち、絞り部２２は、流水部２０を介して圧送する水を利用して陰圧（負圧）を発生させる。
【００３４】
輸送管２３は、沈砂部Ｓ１と絞り部２２とを接続する。輸送管２３は、沈砂部Ｓ１と絞り部２２との間で液密に構成されており、絞り部２２において発生させた陰圧を沈砂部Ｓ１に伝達する。つまり、輸送管２３は、陰圧の伝達経路である。輸送管２３は、絞り部２２の領域Ｌｘ又は領域Ｌｙに接続されている。より詳しくは、輸送管２３は、絞り部２２において発生させた陰圧によって輸送管２３の他端側（絞り部２２側）の圧力が輸送管２３の一端側（沈砂部Ｓ１側）の圧力よりも低くなるように、絞り部２２に接続される。
【００３５】
輸送管２３は、一端部が沈砂部Ｓ１内に位置するように配置されている。輸送管２３の一端側では、絞り部２２において発生させた陰圧によって沈砂部Ｓ１の細粒分Ｆ１が吸引される。輸送管２３としては、例えば内径５ｍｍ〜１０ｍｍのゴムホースを用いることができ、絞り部２２からの陰圧で潰れない程度の肉厚のホースが採用される。輸送管２３としては、例えば硬質の塩化ビニル製パイプを用いてもよい。輸送管２３において複数の硬質の塩化ビニル製パイプを互いに接続する接続部が存在する場合、例えば接続部にシール部材を設けることにより接続部の漏気を防止して、輸送管２３を液密に構成してもよい。
【００３６】
輸送管２３は、例えば地面Ｇに載置され、外構緑化の際に土Ｍによって覆土されてもよい。この這い回しの場合、輸送管２３は、その一端部が沈砂部Ｓ１に差し込まれ、池部１３の底面に沿って池部１３の水面側に向かって延びるように配置される（図３（ａ）参照）。輸送管２３は、地面Ｇの下方に埋設されてもよい。この這い回しの一例としては、輸送管２３は、その一端側が池部１３の底部において略垂直に配置され、屈曲部を介して絞り部２２に向かうように延び、地面Ｇに沿って延びるように配置されることができる（図３（ｂ）参照）。また、この這い回しの他の例としては、輸送管２３は、その一端側が池部１３の底部において地面Ｇに沿って延びるように配置され、他端側が地面Ｇに沿って絞り部２２に向かうように延びるように配置されることができる（図３（ｃ）参照）。
【００３７】
バルブＶ１は、輸送管２３を流れる水及び細粒分Ｆ１の流量を調節するためのバルブである。バルブＶ１は、輸送管２３の流路上に液密に設けられている。つまり、バルブＶ１は、陰圧の伝達経路上に設けられている。バルブＶ１の輸送管２３における位置は、特に限定されない。バルブＶ１は、手動式であってもよいし、電動式であってもよい。
【００３８】
以上のように構成された河川１では、流水部２０の流路上に圧送ポンプ２１が設けられている。これにより、河川１の上流側と河川１の下流側とを接続する流水部２０を介して、河川１の下流側の水が河川１の上流側に圧送ポンプ２１によって圧送される。
【００３９】
また、流水部２０の圧送流路上（流水管２０ｂと流水管２０ｃとの間）に絞り部２２が設けられている。これにより、流水部２０の流水管２０ｂを介して圧送される水によって、絞り部２２において陰圧が発生する。
【００４０】
また、河川１の底部（沈砂部Ｓ１）に輸送管２３の一端部が配置され、絞り部２２の領域Ｌｘ，Ｌｙに輸送管２３の他端部が接続され、沈砂部Ｓ１と絞り部２２とを輸送管２３が接続している。これにより、絞り部２２において発生した陰圧によって、輸送管２３を介して細粒分Ｆ１が吸引される。
【００４１】
また、陰圧の伝達経路（輸送管２３）上にバルブＶ１が設けられている。これにより、吸引する細粒分Ｆ１の量がバルブＶ１によって調整される。
【００４２】
また、圧送ポンプ２１によって流水管２０ｂと介して圧送された水は、輸送管２３を介して吸引した細粒分Ｆ１と絞り部２２において合流し、流水管２０ｃに流れ込む。これにより、輸送管２３を介して吸引した細粒分Ｆ１は、流水管２０ｃを介して圧送される水と共に河川１の上流側に移送される。
【００４３】
次に、細粒分Ｆ１を河川１の上流側に移送する移送方法の一例について説明する。なお、以下の移送方法の説明における第１工程〜第５工程は、便宜上序数を付したものであり、工程の順序を限定するものではない。
【００４４】
まず、圧送ポンプ２１によって、流水部２０を介して、下流側の水を上流側に圧送する（第１工程）。第１工程では、第２工程において十分な陰圧を発生させることができる流量（例えば毎分９０Ｌ）の水が圧送ポンプ２１によって圧送される。
【００４５】
続いて、流水部２０の流水管２０ｂを介して圧送される水を利用して、絞り部２２において陰圧を発生させる（第２工程）。絞り部２２において発生させた陰圧を利用して、河川１の底部（沈砂部Ｓ１）と絞り部２２とを接続する輸送管２３を介して細粒分Ｆ１を吸引する（第３工程）。輸送管２３を介して吸引した細粒分Ｆ１を、流水管２０ｃを介して圧送される水と共に河川１の上流側に移送する（第４工程）。
【００４６】
ここで、陰圧の伝達経路（輸送管２３）上に設けられたバルブＶ１によって、吸引する細粒分Ｆ１の量を調整する（第５工程）。第５工程では、沈砂部Ｓ１に蓄積される細粒分Ｆ１の量に応じて、輸送管２３を介して吸引する細粒分Ｆ１の量を調整する。輸送管２３を介して吸引する細粒分Ｆ１の量を調整することで、例えば底質環境における動的平衡を図ることができる。底質環境における動的平衡とは、例えば、河川１の水流によって、上流側から供給されて底質環境に蓄積される細粒分Ｆ１の量と、輸送管２３を介して吸引する細粒分Ｆ１の量と、が略同等となることをいう。これにより、沈砂部Ｓ１では、例えば底質環境の厚み等が維持されつつ、細粒分Ｆ１が好適に入れ替わることが可能となり、細粒分Ｆ１に空気及び養分等が供給されて底質環境が良質となる。
【００４７】
以上のような移送方法では、第１工程において、河川１の下流側の水を、河川１の上流側に流水部２０（導入管２０ａ、流水管２０ｂ及び流水管２０ｃ）を介して圧送する。続いて、第２工程において、流水部２０を介して圧送する水を利用して、流水部２０の圧送流路上（流水管２０ｂと流水管２０ｃとの間）に設けられた絞り部２２において陰圧を発生させる。続いて、絞り部２２において発生させた陰圧を利用して、第３工程において、河川１の底部（沈砂部Ｓ１）と絞り部２２とを接続する輸送管２３を介して細粒分Ｆ１を吸引する。そして、第４工程において、輸送管２３を介して吸引した細粒分Ｆ１を、流水部２０（流水管２０ｃ）を介して圧送する水と共に河川１の上流側に移送する。このように、圧送流路上に設けられた絞り部２２において陰圧を発生させ、この陰圧を利用して細粒分Ｆ１を吸引し、圧送する水と共に吸引した細粒分Ｆ１を河川１の上流側に移送するため、細粒分Ｆ１が含み得る生物を損傷させる可能性を低減しつつ、河川１の上流側に細粒分Ｆ１を容易に移送することが可能となる。
【００４８】
この移送方法では、第３工程において吸引する細粒分Ｆ１の量を調整する第５工程を更に備えている。吸引する細粒分Ｆ１の量を調整することで、河川１の上流側へ移送する細粒分Ｆ１の量を河川１の底部（沈砂部Ｓ１）に蓄積される細粒分Ｆ１の量に応じて変更することができる。
【００４９】
この移送方法では、第５工程において吸引する細粒分Ｆ１の量を、陰圧の伝達経路（輸送管２３）上に設けられたバルブＶ１によって調整する。このように、陰圧の伝達経路上に設けられたバルブＶ１を用いることで、吸引する細粒分Ｆ１の量を直接的かつ容易に調整することができる。
【００５０】
この移送方法では、第１工程において、河川１の下流側の水を圧送ポンプ２１によって河川１の上流側に圧送する。このように圧送ポンプ２１を用いることで、河川１の下流側の水を河川１の上流側に好適に圧送することができる。
【００５１】
以上、本発明に係る好適な実施形態について説明したが、本発明は、上記実施形態に限られるものではなく、各請求項に記載した要旨を変更しない範囲で変形し、又は他のものに適用してもよい。
［第１の変形例］
【００５２】
上記実施形態では、主流路２において一つの沈砂部Ｓ１のみが設けられていたが、沈砂部の数は、これに限定されるものではない。例えば、本発明に係る移送方法は、図５及び図６に示されるような、複数の沈砂部を有する河川１Ａ，１Ｂにも適用することができる。
【００５３】
図５及び図６（ａ）に示されるように、河川１Ａは、主流路２Ａと、副流路３Ａと、を備えている。河川１Ａは、河川１と比較して、主流路２Ａの水路１４において、淵部１４ａ及び淵部１４ｂが設けられている点、及び、副流路３Ａにおいて、絞り部２２ａ，２２ｂ、輸送管２３ａ，２３ｂ、及びバルブＶ２，Ｖ３が設けられている点において異なっている。
【００５４】
河川１Ａの主流路２Ａでは、水路１４の水深が深くなる場所として、淵部１４ａ及び淵部１４ｂが設けられている。淵部１４ａ及び淵部１４ｂは、水路１４が湾曲する部分であって、その半径方向外側において水深が深くなっている部分である。水流の流速が低下するため、淵部１４ａでは細粒分Ｆ２が沈降し易く、淵部１４ｂでは細粒分Ｆ３が沈降し易い。淵部１４ａにおいては、その底部に細粒分Ｆ２が蓄積され、淵部１４ｂにおいては、その底部に細粒分Ｆ３が蓄積されるため、それぞれ底質環境が形成される。つまり、淵部１４ａの底部は沈砂部Ｓ２を構成し、淵部１４ｂの底部は沈砂部Ｓ３を構成する。沈砂部Ｓ２，Ｓ３は、意図的に形成されていてもよいし、例えば水流によって自然に形成されたものであってもよい。要は、沈砂部Ｓ２，Ｓ３は、河川１Ａの上流側に細粒分Ｆ２，Ｆ３を移送して細粒分Ｆ２，Ｆ３を再供給するためのものであればよい。
【００５５】
河川１Ａの副流路３Ａでは、絞り部２２ａ，２２ｂは、絞り部２２と基本的に同様に構成されている。輸送管２３ａ，２３ｂは、輸送管２３と基本的に同様に構成されている。バルブＶ２，Ｖ３は、バルブＶ１と基本的に同様に構成されている。
【００５６】
絞り部２２ａ及び絞り部２２ｂは、流水管２０ｂ（流水部２０の圧送流路）上に設けられている。絞り部２２ａは、副流路３Ａにおける圧送ポンプ２１の下流側に設けられている。絞り部２２ａは、副流路３Ａにおける絞り部２２ａの下流側であって、絞り部２２の上流側に設けられている。絞り部２２ａ及び絞り部２２ｂは、圧送ポンプ２１によって流水管２０ｂを介して圧送する水を利用して陰圧を発生させる。絞り部２２ａの流路が絞られた箇所（水の圧力が低下する箇所）には、輸送管２３ａが接続されている。絞り部２２ｂの流路が絞られた箇所（水の圧力が低下する箇所）には、輸送管２３ｂが接続されている。
【００５７】
輸送管２３ａは、沈砂部Ｓ２と絞り部２２ａとを接続する。輸送管２３ｂは、沈砂部Ｓ３と絞り部２２ｂとを接続する。つまり、輸送管２３，２３ａ及び２３ｂは、互いに独立した陰圧の伝達経路となっている。従って、絞り部２２ａにおいて発生させた陰圧によって沈砂部Ｓ２の細粒分Ｆ２が吸引される。絞り部２２ｂにおいて発生させた陰圧によって沈砂部Ｓ３の細粒分Ｆ３が吸引される。
【００５８】
バルブＶ２は、輸送管２３ａ（陰圧の伝達経路）上に液密に設けられている。バルブＶ３は、輸送管２３ｂ（陰圧の伝達経路）上に液密に設けられている。よって、輸送管２３ａを流れる水及び細粒分Ｆ２の流量と、輸送管２３ｂを流れる水及び細粒分Ｆ３の流量と、をそれぞれ独立して調整することが可能となる。
【００５９】
図６（ｂ）に示されるように、河川１Ｂは、主流路２Ｂと、副流路３Ｂと、を備えている。河川１Ｂでは、主流路２Ｂは、主流路２Ａと同様に構成されている。河川１Ｂでは、副流路３Ｂは、副流路３Ａに対して、絞り部２２ａ，２２ｂに代えて絞り部２２ｃが設けられ、輸送管２３ａ，２３ｂに代えて輸送管２３ｃが設けられ、バルブＶ２，Ｖ３に代えてバルブＶ４が設けられている点において異なっている。
【００６０】
河川１Ｂの副流路３Ｂでは、絞り部２２ｃは、絞り部２２と基本的に同様に構成されている。輸送管２３ｃは、絞り部２２側においては、輸送管２３と基本的に同様に構成されている。バルブＶ４は、バルブＶ１と基本的に同様に構成されている。
【００６１】
絞り部２２ｃは、流水管２０ｂ（流水部２０の圧送流路）上に設けられている。絞り部２２ｃは、副流路３Ｂにおける圧送ポンプ２１の下流側であって、絞り部２２の上流側に設けられている。絞り部２２ｃは、圧送ポンプ２１によって流水管２０ｂを介して圧送する水を利用して陰圧を発生させる。絞り部２２ｃの流路が絞られた箇所（水の圧力が低下する箇所）には、輸送管２３ｃが接続されている。
【００６２】
輸送管２３ｃは、沈砂部Ｓ２及び沈砂部Ｓ３と、絞り部２２ｃと、を接続する。輸送管２３ｃは、沈砂部Ｓ２側及び沈砂部Ｓ３側において分岐しており、沈砂部Ｓ２及び沈砂部Ｓ３にそれぞれ接続している。つまり、輸送管２３ｃは、二つの沈砂部Ｓ２及び沈砂部Ｓ３に対して共通する陰圧の伝達経路となっている。従って、絞り部２２ｃにおいて発生させた陰圧によって沈砂部Ｓ２及び沈砂部Ｓ３の細粒分Ｆ２及び細粒分Ｆ３が吸引される。
【００６３】
バルブＶ４は、輸送管２３ｃ（陰圧の伝達経路）上に液密に設けられている。よって、輸送管２３ｃを流れる水と、細粒分Ｆ２及び細粒分Ｆ３の流量と、を一括して調整する。そのため、輸送管及びバルブの部品点数を削減することが可能となる。
【００６４】
以上、この移送方法が適用される河川１Ａ，１Ｂでは、細粒分Ｆ１〜Ｆ３は、河川１Ａ，１Ｂの複数箇所における底部（沈砂部Ｓ１〜Ｓ３）において蓄積される。そこで、この移送方法では、第３工程において、沈砂部Ｓ１〜Ｓ３と絞り部２２，２２ａ，２２ｂ，２２ｃとを接続する輸送管２３，２３ａ，２３ｂ，２３ｃを介して細粒分Ｆ１〜Ｆ３を吸引する。この場合、沈砂部Ｓ１〜Ｓ３のそれぞれにおいて細粒分Ｆ１〜Ｆ３を吸引することで、河川１Ａ，１Ｂにおける複数の箇所に蓄積された細粒分Ｆ１〜Ｆ３を河川１Ａ，１Ｂの上流側に容易に移送することが可能となる。
［第２の変形例］
【００６５】
上記実施形態では、池部１５から池部１１へ水を圧送することで、河川１において水を循環させていたが、必ずしも当該河川において水を循環させなくてもよい。例えば、本発明に係る移送方法は、図７に示されるような河川１Ｃにも適用することができる。
【００６６】
河川１Ｃは、主流路２Ｃと、副流路３Ｃと、を備えている。河川１Ｃは、河川１と比較して、主流路２Ｃの池部１５において導入管２０ａに代えて排水路１５ｘが設けられている点、副流路３Ｃにおいて圧送ポンプ２１が導入管２０ｄを介して水源３０に接続されている点、において異なっている。
【００６７】
河川１Ｃでは、水は、水源３０の水が圧送ポンプ２１によって流水部２０を介して池部１１へ供給され、主流路２Ｃにおいて下流側まで流れた後、副流路３Ｃに導入されずに排水される。つまり、河川１Ｃでは、水は、河川１Ｃ内を循環しない。
【００６８】
このような河川１Ｃにおいても、この移送方法によれば、第１工程において、水源３０の水を、河川１の上流側に流水部２０（導入管２０ｄ、流水管２０ｂ及び流水管２０ｃ）を介して圧送する。続いて、第２工程において、流水部２０を介して圧送する水を利用して、流水部２０の圧送流路上（流水管２０ｂと流水管２０ｃとの間）に設けられた絞り部２２において陰圧を発生させる。続いて、絞り部２２において発生させた陰圧を利用して、第３工程において、河川１の底部（沈砂部Ｓ１）と絞り部２２とを接続する輸送管２３を介して細粒分Ｆ１を吸引する。そして、第４工程において、輸送管２３を介して吸引した細粒分Ｆ１を、流水部２０（流水管２０ｃ）を介して圧送する水と共に河川１の上流側に移送する。
【００６９】
このように、圧送流路上に設けられた絞り部２２において陰圧を発生させ、この陰圧を利用して細粒分Ｆ１を吸引し、圧送する水と共に吸引した細粒分Ｆ１を河川１の上流側に移送するため、河川１Ｃでは、水は、河川１Ｃ内を循環しないが、細粒分Ｆは、河川１Ｃ内を循環させることができる。よって、細粒分Ｆ１が含み得る生物を損傷させる可能性を低減しつつ、河川１の上流側に細粒分Ｆ１を容易に移送することが可能となる。
【符号の説明】
【００７０】
１，１Ａ，１Ｂ，１Ｃ…河川、２，２Ａ，２Ｂ，２Ｃ…主流路、３，３Ａ，３Ｂ，３Ｃ…副流路、１０…吐出口、１１，１３，１５…池部、１２，１４…水路、２０…流水部（流水管）、２１…圧送ポンプ（ポンプ）、２２，２２ａ，２２ｂ，２２ｃ…絞り部、２３，２３ａ，２３ｂ，２３ｃ…輸送管（伝達経路）、３０…水源、Ｆ１，Ｆ２，Ｆ３…細粒分、Ｇ…地面、Ｍ…土、Ｓ１，Ｓ２，Ｓ３…沈砂部、Ｖ１，Ｖ２，Ｖ３，Ｖ４…バルブ。
【図１】
0006470661.tif 000002
【図２】
0006470661.tif 000003
【図３】
0006470661.tif 000004
【図４】
0006470661.tif 000005
【図５】
0006470661.tif 000006
【図６】
0006470661.tif 000007
【図７】
0006470661.tif 000008